(57)【要約】【課題】消費電力がトランスの許容電力を越えてしまうことによって及ぼされる遊技者への予期せぬ不利益を回避することができるパチンコ遊技機を提供する。【解決手段】１基のトランスＴに対し、複数台が接続されて各々が具備する電気部品に電力供給されるパチンコ遊技機において、電気部品全てに電力供給した状態で消費される総電力を電源投入時に一時的に消費する強制電力消費回路１２と、該強制電力消費回路１２が消費する電力がトランスＴの許容する電力を越えるか否かを監視する監視回路１３と、該監視手段１３により強制電力消費回路１２が消費する電力がトランスＴの許容する電力を越えたと判断された場合に報知する報知手段とを備えたものである。【選択図】  図３
2005006917.tif 000002
【特許請求の範囲】
【請求項１】
１基のトランスに対し、複数台が接続されて各々が具備する電気部品に電力供給されるパチンコ遊技機において、
前記電気部品全てに電力供給した状態で消費される総電力を電源投入時に一時的に消費する強制電力消費手段と、
該強制電力消費手段が消費する電力が前記トランスの許容する電力を越えるか否かを監視する監視手段と、
該監視手段により前記強制電力消費手段が消費する電力が前記トランスの許容する電力を越えたと判断された場合に報知する報知手段と、
を備えたことを特徴とするパチンコ遊技機。
【請求項２】
１基のトランスに対し、複数台が接続されて各々が具備する電気部品に電力供給されるパチンコ遊技機において、
電源投入時に一時的に前記電気部品全てに電力を消費させる強制電力消費制御手段と、
該強制電力消費制御手段によって電気部品が消費した電力が前記トランスの許容する電力を越えるか否かを監視する監視手段と、
該監視手段によって消費された電力が前記トランスの許容する電力を越えたと判断された場合に報知する報知手段と、
を備えたことを特徴とするパチンコ遊技機。
【請求項３】
電源投入時において前記強制電力消費手段又は強制電力消費制御手段を作動させるか否かを設定する設定手段を設けたことを特徴とする請求項１又は請求項２記載のパチンコ遊技機。
【発明の詳細な説明】
【０００１】
【発明の属する技術分野】
本発明は、１基のトランスに対し、複数台が接続されて各々が具備する電気部品に電力供給されるパチンコ遊技機に関するものである。
【０００２】
【従来の技術】
通常、パチンコ遊技機の遊技盤に配設された液晶画面等から成る図柄表示手段は、３つの図柄を変動表示及び停止表示させ得るよう構成されている。そして、遊技球が始動口に入賞して始動条件が成立すると、図柄表示手段の図柄が変動表示され、所定時間経過した後に順次停止表示し、その３つの図柄が同じとなって揃った場合、所謂Ｖゾーンを有した大入賞口を所定タイミングで開閉させ、遊技者にとって有利な特別遊技状態、即ち大当たり状態とされる。
【０００３】
また、パチンコ遊技機には、遊技盤や前面枠に配設された装飾ランプ、各種役物を駆動させるためのソレノイド、遊技球を遊技盤の遊技領域に発射するための発射装置、及び賞球払出装置等の種々電気部品が配設され、それぞれの機能及び装飾効果を奏している。かかるパチンコ遊技機は、通常、パチンコ店内ホールにおいて複数並列して設置され、それぞれの電気部品に電力が供給されている。
【０００４】
然るに、上記の如く複数並列して設置されたパチンコ遊技機のうちの所定台数は、通常、１基のトランス（変圧器）に対して共用して接続されており、該トランスにて電圧変換された後、各パチンコ遊技機が有する電気部品に電力が供給されるよう構成されている。即ち、１台のトランスを介して複数のパチンコ遊技機が接続されているのである。尚、かかる先行技術は、文献公知発明に係るものでないため、記載すべき先行技術文献情報はない。
【０００５】
【発明が解決しようとする課題】
しかしながら、上記従来のパチンコ遊技機においては、以下の如き問題があった。即ち、近時におけるパチンコ遊技機は、演出効果を高めるべく派手に点灯又は点滅する多数の装飾ランプや多数の可動式の役物が遊技盤等に配設されており、１台で消費する電力が大きくなってきている傾向にある。
【０００６】
よって、既存のトランスに複数台のパチンコ遊技機を接続し、それら接続されたパチンコ遊技機の消費電力が一斉に高くなった場合（例えば、複数台のパチンコ遊技機が一斉に大当たり状態とされた場合が挙げられる）、当該トランスの許容電力を越えてしまう事態が多数生じる虞があった。このように消費電力がトランスの許容電力を越えてしまうと、そのトランスに接続された全てのパチンコ遊技機が、電圧低下によってリセットされてしまい、例えば大当たり状態や確率変動状態もリセットされてしまって、遊技者に予期せぬ不利益を及ぼしてしまう虞があった。
【０００７】
本発明は、このような事情に鑑みてなされたもので、消費電力がトランスの許容電力を越えてしまうことによって及ぼされる遊技者への予期せぬ不利益を回避することができるパチンコ遊技機を提供することにある。
【０００８】
【課題を解決するための手段】
請求項１記載の発明は、１基のトランスに対し、複数台が接続されて各々が具備する電気部品に電力供給されるパチンコ遊技機において、前記電気部品全てに電力供給した状態で消費される総電力を電源投入時に一時的に消費する強制電力消費手段と、該強制電力消費手段が消費する電力が前記トランスの許容する電力を越えるか否かを監視する監視手段と、該監視手段により前記強制電力消費手段が消費する電力が前記トランスの許容する電力を越えたと判断された場合に報知する報知手段とを備えたことを特徴とする。
【０００９】
請求項２記載の発明は、１基のトランスに対し、複数台が接続されて各々が具備する電気部品に電力供給されるパチンコ遊技機において、電源投入時に一時的に前記電気部品全てに電力を消費させる強制電力消費制御手段と、該強制電力消費制御手段によって電気部品が消費した電力が前記トランスの許容する電力を越えるか否かを監視する監視手段と、該監視手段によって消費された電力が前記トランスの許容する電力を越えたと判断された場合に報知する報知手段とを備えたことを特徴とする。
【００１０】
請求項３記載の発明は、請求項１又は請求項２記載のパチンコ遊技機において、電源投入時において前記強制電力消費手段又は強制電力消費制御手段を作動させるか否かを設定する設定手段を設けたことを特徴とする。
【００１１】
【発明の実施の形態】
以下、本発明の実施形態について図面を参照しながら具体的に説明する。
第１の実施形態に係るパチンコ遊技機は、３列の図柄を変動表示又は停止表示させ得る図柄表示手段を具備し、始動条件の成立により当該図柄が変動表示されるとともに、所定時間経過後に停止表示され、その停止表示された図柄が同一で揃った場合、大当たり状態として遊技者にとって有利な特別遊技状態が発生するものである。
【００１２】
具体的には、図１に示すように、本実施形態で適用されるパチンコ遊技機１は、ガラス板２が取り付けられた前面枠３を有しており、該ガラス板２から遊技者が遊技盤４を目視し得るように構成されている。この遊技盤４の遊技領域には、図柄表示手段５の他、始動口６や大入賞口７等の種々役物が配設されている。
【００１３】
かかる図柄表示手段５は、その画面に図柄や背景、及び演出のための各種キャラクタ等を表示し得るものであり、始動条件が成立（始動口６に遊技球が入賞）したときに、３つの図柄を所定時間変動表示させ、これら図柄が３つ同じとなって揃った状態で停止表示されることにより「大当たり」状態を発生させ得るよう構成されている。
【００１４】
「大当たり」状態が発生すると、所謂Ｖゾーンを有する大入賞口７が所定時間及びタイミングで開閉し、遊技者が多数の遊技球を獲得できるといった遊技者にとって有利な特別遊技状態が発生する。尚、「大当たり」中においては、前面枠３や遊技盤４等に取り付けられた各種ランプやフラッシュ等が点滅又は点灯するとともに、図柄表示手段５の画面上においてキャラクタ等による所定の演出が行われるようになっている。
【００１５】
また更に、パチンコ遊技機１の下部右隅にはハンドル８が配設されており、該ハンドル８の回動操作により上皿９内の遊技球を遊技盤４の遊技領域に連続的に打ち出し得るよう構成されている。尚、同図中における符号１０は、下皿を示しており、該下皿１０の近傍にはスピーカＳが配設されて演出のための効果音等が発せられるようになっている。
【００１６】
ところで、通常、上記構成のパチンコ遊技機１は、図２に示すように、パチンコ店内のホールにおいて、各島を構成する列に複数台設置されており、トランスＴを介して電源Ａから電力供給されている。かかるトランスＴは、１基に複数台（本実施形態においては４台）のパチンコ遊技機１が接続されており、それぞれに供給される電力の電圧変換を一括して行っている。
【００１７】
然るに、１基のトランスＴに接続された複数台のパチンコ遊技機１において、例えば大当たり状態などが同時に生じて、一気に電力消費量が増大した場合、当該トランスの許容する電力を越える虞がある。通常であれば、トランスの許容する電力を越える前に、電力供給量を減少させるべく当該トランスに接続された全てのパチンコ遊技機１がリセットされるよう構成されているのであるが、大当たり状態や確率変動状態などもリセットされてしまうので、かかる遊技者にとって不利益となる事態を回避すべく、本実施形態においては以下のような構成とされている。
【００１８】
即ち、パチンコ遊技機１の内部には、図３に示すように、トランスＴと接続された電源基板１１と、メイン基板１４と、サブ基板関連１５とが配設されており、メイン基板１４からの制御信号にてサブ基板関連１５を構成する図柄制御基板１６、ランプ制御基板１７及び音声制御基板１８が制御されるよう構成されている。
【００１９】
尚、図柄制御基板１６には、図柄表示手段５が、ランプ制御基板１７には前面３や遊技盤４等に取り付けられたランプが、音声制御基板１８にはスピーカＳがそれぞれ接続されて所定の制御が行われるようになっている。本明細書においては、これら電力供給されるパチンコ遊技機１の構成要素を「電気部品」と称することとする。
【００２０】
このうち電源基板１１は、メイン基板１４及びサブ基板関連１５の双方に電力を供給し得るためのもので、コンデンサ等の電力供給に必要な各種構成要素の他、本実施形態においては、強制電力消費回路１２（強制電力消費手段）及び監視回路１３（監視手段）を有している。
【００２１】
上記強制電力消費回路１２は、パチンコ遊技機１が具備する電気部品全てに電力供給した状態で消費される所定電力を電源投入時に一時的に消費するものである。即ち、各電気部品が必要とされる電力量は既知であるため、それらを合計した総電力量を、遊技者が遊技を始める前、即ち電源投入時に一時的に強制電力消費回路１２が消費するようになっているのである。
【００２２】
監視回路１３は、強制電力消費回路１２が消費する電力がトランスＴの許容する電力を越えるか否かを監視するためのもので、当該トランスＴの許容電力を越えたと判断した場合（具体的には、電圧低下を検知した場合）、サブ基板関連１５に対し供給電力不足信号を送信し得るよう構成されている。かかる供給電力不足信号を受信したサブ基板関連１５においては、図柄表示手段５、ランプ制御基板１７に接続されたランプ、又はスピーカＳの少なくとも１つによって、強制電力消費回路１２が消費する電力がトランスＴの許容電力を越えたことを報知するよう構成されている。かかる報知する手段を報知手段と定義する。
【００２３】
例えば、図柄表示手段５を報知手段とした場合、図４に示すように、当該図柄表示手段５の画面上に同図の如き警告を表示し、トランスＴに接続された全てのパチンコ遊技機１における全ての電気部品に電力供給された場合にトランスＴの容量不足が生じることを周囲に報知する。また、かかる報知に代えて、又は併設して、ランプ制御基板１７に接続されたランプを点灯させて報知したり、或いはスピーカＳから効果音や音声を発して報知するよう構成してもよい。
【００２４】
次に、上記パチンコ遊技機１における電源投入時の制御について、図５に示すフローチャートに基づいて説明する。
電源ＡからトランスＴを介して電源が投入されると、監視回路１３が作動開始すると同時に、パチンコ遊技機１の全電気部品が消費するであろう総量の電力を強制電力消費回路１２が消費する（Ｓ１）。そして、監視回路１３が、強制電力消費回路１２によって消費される電力がトランスＴの許容する電力を越えるか否かが判断される（Ｓ２）。
【００２５】
監視回路１３によって、強制電力消費回路１２が消費した電力がトランスＴの許容電力を越えないと判断した場合、供給された電源が規定値以上であると判断され、強制電力消費回路１２による電力消費及び監視回路１３による監視が停止されて正規の動作（電源基板１１からメイン基板１４及びサブ基板関連１５への通常の電力供給）が行われる（Ｓ３）。
【００２６】
一方、Ｓ２において、監視回路１３によって、強制電力消費回路１２が消費した電力がトランスＴの許容電力を越えたと判断した場合、供給された電源が規定値以上ではない（電圧低下が生じた）と判断され、サブ基板関連１５に対し供給電力不足信号が送信され、報知手段による報知がなされる（Ｓ５）。かかる報知は、上述の如く、図柄表示手段５による画面上での表示、ランプの点灯又はスピーカＳによる報知の何れであってもよく、これら全てによる報知又は何れか複数による報知であってもよい。
【００２７】
尚、監視回路１３による監視を、電源投入時に一時的に行うべくタイマ等を具備させて、強制電力消費回路１２による電力消費時間を所定時間に設定するよう構成するのが好ましい。かかるタイマによる制御時間の（消費時間）の設定は、本実施形態の他、以下に記載する第２及び第３の実施形態においても用いるのが好ましい。
【００２８】
上記第１の実施形態によれば、想定されるパチンコ遊技機１の全電気部品の消費電力を強制電力消費回路１２が電源投入時にのみ一時的に消費して、トランスＴの許容電力量を超えるか否かが判断されるので、遊技者が遊技している最中に供給電力不足が生じて、大当たり状態や確率変動状態がリセットされてしまう等、遊技者への予期せぬ不利益を回避することができる。
【００２９】
次に、本発明の第２の実施形態に係るパチンコ遊技機について説明する。
本実施形態に係るパチンコ遊技機は、その外観が第１の実施形態と同様のものであり、図２に示すように、１基のトランスＴに対して複数台のパチンコ遊技機が接続されたものである。そして、始動条件の成立により図柄表示手段にて図柄が変動表示されるとともに、所定時間経過後に停止表示され、その停止表示された図柄が同一で揃った場合、大当たり状態として遊技者にとって有利な特別遊技状態が発生するものである。
【００３０】
ここで、本実施形態のパチンコ遊技機の内部には、図６に示すように、トランスＴ（不図示）に接続された電源基板１１には、監視手段２０が配設されており、該監視手段２０には強制電力消費回路１２と供給電力監視スイッチ２１（設定手段）とが配設されている。また、メイン基板１４には、強制電力消費プログラム１９（強制電力消費制御手段）が記憶されている。
【００３１】
強制電力消費プログラム１９は、パチンコ遊技機に対する電源投入時に、一時的に実際の電気部品に対して電力を供給して消費させるためのもので、メイン基板１４が制御する各種モータやソレノイドを駆動させるとともに、出力信号をサブ基板関連１５（第１の実施形態の如く図柄制御基板、ランプ制御基板及び音声制御基板を有する）に送信して、それらサブ基板が制御する各種電気部品に電力を供給させる。
【００３２】
強制電力消費回路１２は、ハンドル８を回転させることにより駆動され、遊技球を遊技盤４の遊技領域に打ち出し得る発射装置（不図示）が当該打ち出し時に消費するであろう量の電力を強制的に消費するためのものである。また、供給電力監視スイッチ２１は、電源投入時において強制電力消費回路１２及び強制電力消費プログラム１９を作動させるか否かを設定するためのスイッチである。
【００３３】
監視手段２０は、強制電力消費プログラム１９によって電気部品が消費した電力、及び強制電力消費回路１２が消費した電力の合計がトランスＴの許容する電力を越えるか否かを監視するためのものであり、当該合計の電力がトランスＴの許容電力を越えたと判断した場合は、第１の実施形態と同様、サブ基板関連１５に対し供給電力不足信号を送信し、報知手段による報知（図柄表示手段による警告の表示、ランプ制御基板に接続されたランプの点灯、或いはスピーカＳからの効果音又は音声による警告）が行われる。
【００３４】
以下、上記構成のパチンコ遊技機における動作について図７に示すフローチャートに基づいて説明する。
まず、電源が投入されると、供給電力監視スイッチ２１がオンされているか否かを判定する（Ｓ１）。該供給電力監視スイッチ２１がオンされていない（即ち、オフである）場合は、Ｓ６へ進み、通常処理（電源基板１１からメイン基板１４及びサブ基板関連１５への通常の電力供給）が行われる一方、オンされている場合は、監視手段２０が作動し、強制電力消費回路１２及びメイン基板１４の強制電力消費プログラム１９を作動させる信号が出力される（Ｓ２）。
【００３５】
そして、強制電力消費回路１２が作動して、発射装置が作動した場合と等価の電力を消費させる（Ｓ３）とともに、強制電力消費プログラム１９が作動することにより、パチンコ遊技機が具備する発射装置以外の電気部品に電力を供給して消費させる（Ｓ４）。その後、強制電力消費回路１２が消費した電力と強制電力消費プログラム１９によって電気部品が消費した電力との合計がトランスＴの許容電力を越えるか否かを監視手段２０が監する（Ｓ５）。
【００３６】
当該合計の消費電力がトランスＴの許容電力を越えていない（即ち、供給電力不足ではない）と判定されると、Ｓ６へ進んで通常処理が行われる一方、トランスＴの許容電力を越える（即ち、供給電力不足である）と判定されると、報知手段による報知がなされる（Ｓ７）。かかる報知は、第１の実施形態と同様、図柄表示手段５による画面上での表示、ランプの点灯又はスピーカＳによる報知の何れであってもよく、これら全てによる報知又は何れか複数による報知であってもよい。
【００３７】
上記第２の実施形態によれば、強制電力消費回路１２によって発射装置の消費電力と等価の電力を電源投入時に一時的に供給するのに加え、強制電力消費プログラム１９によってパチンコ遊技機が有する他の全ての電気部品に対し実際に電力供給を行って電力消費させるので、監視手段２０による電力の監視をより正確に行うことができる。
【００３８】
また、電源投入時において強制電力消費回路２１及び強制電力消費プログラム１９を作動させるか否かを設定する供給電力監視スイッチ２１（設定手段）を設けたので、電源投入時にトランスＴのチェックを行わせないよう設定することができ、例えば毎日の開店前の電源投入の度にチェックを行わせず、新規のパチンコ遊技機を導入したときのみに強制電力消費回路２１及び強制電力消費プログラム１９を作動させるよう設定することができる。
【００３９】
次に、本発明の第３の実施形態に係るパチンコ遊技機について説明する。
本実施形態に係るパチンコ遊技機は、その外観が第１の実施形態と同様のものであり、図２に示すように、１基のトランスＴに対して複数台のパチンコ遊技機が接続されたものである。そして、始動条件の成立により図柄表示手段にて図柄が変動表示されるとともに、所定時間経過後に停止表示され、その停止表示された図柄が同一で揃った場合、大当たり状態として遊技者にとって有利な特別遊技状態が発生するものである。
【００４０】
ここで、本実施形態のパチンコ遊技機の内部には、図８に示すように、トランスＴ（不図示）に接続された電源基板１１に監視回路１３が配設されるとともに、メイン基板１４には強制電力消費プログラム１９（強制電力消費制御手段）が記憶されている。かかる強制電力消費プログラム１９は、サブ基板関連１５（図柄制御基板１６、ランプ制御基板１７及び音声制御基板１８）の他、賞球を上皿９に払い出す払出装置２４を制御するための払出制御基板２２、及び既述の発射装置を制御するための発射制御基板２３に対しても作動信号を送信し得るものである。
【００４１】
これにより、サブ基板関連１５に接続された電気部品に加え、払出制御基板２２及び発射制御基板２３に接続された払出装置２４及び発射装置２５といった他の電気部品にも電源投入時に一時的に電力供給し、消費される電力が監視回路１３にてトランスＴの容量を越えるか否かを判定することができる。また、第１の実施形態及び第２の実施形態と同様、電源投入時に一時的に電力供給して消費された電力がトランスＴの容量を超えた（供給電力が不足した）と判定された際には、報知手段による報知が行われる。
【００４２】
本実施形態によれば、払出装置２４及び発射装置２５を含めた全ての電気部品に対し実際に電力供給を行って電力消費させるので、第２の実施形態のものに比べて更に、監視回路１３による電力の監視を正確に行うことができる。尚、強制電力消費プログラム１９が作動した際、払出装置２４や発射装置２５を駆動させるための別途の制御手段を設けるのが好ましい。
【００４３】
以上、本実施形態について説明したが、本発明はこれに限定されるものではなく、例えば１基のトランスＴに対して２、３台又は５台以上パチンコ遊技機が接続されたものにも適用することができる。また、第２の実施形態において設定手段としての供給電力監視スイッチ２１が配設されているが、かかるスイッチを第１及び第３の実施形態に設けるようにしてもよい。
【００４４】
勿論、電源投入時において強制電力消費回路（強制電力消費手段）又は強制電力消費プログラム（強制電力消費制御手段）を作動させるか否かを設定するものであれば、供給電力監視スイッチに代えて他の形態のものとしてもよい。尚、強制電力消費回路としてセメント抵抗など汎用的な抵抗手段を使用するのが好ましいが他のものを使用してもよい。
【００４５】
【発明の効果】
請求項１の発明によれば、電源投入時に全ての電気部品に電力供給された状態において消費する総電力を強制電力消費手段が一時的に消費し、監視手段にてパチンコ遊技機に接続されたトランスの許容電力内であるか否かを監視するとともに、当該許容範囲を超えた場合に報知手段にて報知するので、当該パチンコ遊技機をホールに設置した段階（営業開始前であって遊技者による遊技が開始される前）にチェックすることができ、消費電力がトランスの許容電力を越えてしまうことによって及ぼされる遊技者への予期せぬ不利益（大当たり状態や確率変動状態など遊技者にとって有利な状態のリセット等）を回避することができる。
【００４６】
請求項２の発明によれば、強制電力消費制御手段によってパチンコ遊技機が有する全ての電気部品に対し実際に電力供給を行って電力消費させるので、監視手段による電力の監視をより正確に行うことができる。
【００４７】
請求項３の発明によれば、電源投入時において強制電力消費手段又は強制電力消費制御手段を作動させるか否かを設定する設定手段を設けたので、電源投入時にトランスのチェックを行わせないよう設定することができ、例えば毎日の開店前の電源投入の度にチェックを行わせず、新規のパチンコ遊技機を導入したときのみに強制電力消費手段又は強制電力消費制御手段を作動させるよう設定することができる。
【図面の簡単な説明】
【図１】本発明の第１の実施形態に係るパチンコ遊技機を示す外観図（第２、第３の実施形態に係るものも同様）
【図２】本発明の第１の実施形態に係るパチンコ遊技機がパチンコ店のホールに併設された状態を示す模式図（第２、第３の実施形態に係るものも同様）
【図３】本発明の第１の実施形態に係るパチンコ遊技機の内部における各種基板を示すブロック図
【図４】同パチンコ遊技機における報知手段による報知の形態を示す模式図
【図５】同パチンコ遊技機における制御を示すフローチャート
【図６】本発明の第２の実施形態に係るパチンコ遊技機の内部における各種基板を示すブロック図
【図７】同パチンコ遊技機における制御を示すフローチャート
【図８】本発明の第３の実施形態に係るパチンコ遊技機の内部における各種基板を示すブロック図
【符号の説明】
１…パチンコ遊技機
２…ガラス板
３…前面枠
４…遊技盤
５…図柄表示手段
６…始動口
７…大入賞口
８…ハンドル
９…上皿
１０…下皿
１１…電源基板
１２…強制電力消費回路（強制電力消費手段）
１３…監視回路（監視手段）
１４…メイン基板
１５…サブ基板関連
１６…図柄制御基板
１７…ランプ制御基板
１８…音声制御基板
１９…強制電力消費プログラム（強制電力消費制御手段）
２０…監視手段
２１…供給電力監視スイッチ（設定手段）
２２…払出制御基板
２３…発射制御基板
Ｔ…トランス
Ｓ…スピーカ
【図１】
2005006917.tif 000003
【図２】
2005006917.tif 000004
【図３】
2005006917.tif 000005
【図４】
2005006917.tif 000006
【図５】
2005006917.tif 000007
【図６】
2005006917.tif 000008
【図７】
2005006917.tif 000009
【図８】
2005006917.tif 000010